(57)【特許請求の範囲】
【請求項１】
エレベータの運転制御を行うエレベータ制御装置と、このエレベータ制御装置に接続され、前記エレベータの状態を監視するとともに、前記エレベータ制御装置に対して運転制御の指令を送信可能なエレベータ監視装置と、所定の端末装置が接続可能で、前記エレベータ監視装置に対して運転制御に関係するデータの送受信が可能なエレベータ監視用サーバとを備えたエレベータの遠隔制御システムにおいて、
前記エレベータ監視装置は、
前記所定の端末装置による前記エレベータの運転制御の設定を受信した前記エレベータ監視用サーバからの指令により、前記エレベータ制御装置に運転制御の設定指令を送信するとともに、送信後の所定時間内の前記エレベータの運転状態を取得するエレベータ通信部と、
このエレベータ通信部を介して取得した運転状態が前記エレベータ監視用サーバの指令通りの運転制御による運転状態かどうかを判定する判定部と、
前記エレベータ通信部を介して行われた前記エレベータに対する運転制御指令と、取得した運転状態、及び前記判定部で判定された判定結果を記録する記録部と、
この記録部に記録された運転制御指令と、取得した運転状態、及び判定結果を前記エレベータ監視用サーバに送信するサーバ通信部とを有することを特徴とするエレベータの遠隔制御システム。
【請求項２】
請求項１に記載のエレベータの遠隔制御システムにおいて、
前記エレベータ監視装置は、前記エレベータ監視用サーバからの指令が、エレベータの運転制御の設定指令であるか、運転状態の監視指令であるかを判別する指令内容判別部を有することを特徴とするエレベータの遠隔制御システム。
【発明の詳細な説明】
【技術分野】
【０００１】
本発明は、エレベータの運転制御を遠隔的に設定変更可能なエレベータの遠隔制御システムに関する。
【背景技術】
【０００２】
エレベータは通常、自動運転を中止する運転休止制御や基準階復帰制御と呼ばれる運転制御が実施される。運転休止制御は、休日などにエレベータの運転を取りやめて省エネを図ったり、豪雨の際にエレベータの冠水による故障を回避するためなどに実施される。また、基準階復帰制御は、多くの利用者の到着が見込まれる階に乗かごを予め移動させて待機させ、エレベータの利用効率を向上させるためなどに実施される。
【０００３】
前述した運転休止制御や基準階復帰制御等のエレベータの運転制御の設定を変更するためには、専門の技術者がエレベータの乗場や機械室まで行き、エレベータの制御装置に対して直接に設定変更を行うことが必要であった。
【０００４】
このような状況から、特許文献１に、携帯端末からインターネットを介して遠隔的にエレベータの運転制御の設定変更を行うとともに、現在のエレベータの運転状態を取得して携帯端末に表示させるようにしたエレベータの遠隔制御システムが開示されている。
【先行技術文献】
【特許文献】
【０００５】
【特許文献１】特開２００２−１１４４５６号公報
【発明の概要】
【発明が解決しようとする課題】
【０００６】
特許文献１に開示された従来技術は、インターネットを介して送信された携帯端末からの当該エレベータに対する運転制御の設定、あるいは運転状態の取得を、エレベータの遠隔制御システムに備えられるサーバが、当該エレベータのエレベータ制御装置と通信により行い、その結果をサーバから携帯端末に送信し、携帯端末において表示するシステムとなっている。
【０００７】
しかしながら、この従来技術にあっては、運転制御の設定をした後に、運転状態の取得を行う場合に、携帯端末によって遠隔的に変更した運転制御が反映されているかどうか分からず、設定変更されていない運転状態を誤って取得してしまう懸念があった。
【０００８】
本発明は、前述した従来技術における実情からなされたもので、その目的は、遠隔的に運転制御を変更可能なエレベータに対する設定変更後、その設定変更が誤りなく行われたかどうかを容易に確認することができるエレベータの遠隔制御システムを提供することにある。
【課題を解決するための手段】
【０００９】
前記目的を達成するために、本発明に係るエレベータの遠隔制御システムは、エレベータの運転制御を行うエレベータ制御装置と、このエレベータ制御装置に接続され、前記エレベータの状態を監視するとともに、前記エレベータ制御装置に対して運転制御の指令を送信可能なエレベータ監視装置と、所定の端末装置が接続可能で、前記エレベータ監視装置に対して運転制御に関係するデータの送受信が可能なエレベータ監視用サーバとを備えたエレベータの遠隔制御システムにおいて、前記エレベータ監視装置は、前記所定の端末装置による前記エレベータの運転制御の設定を受信した前記エレベータ監視用サーバからの指令により、前記エレベータ制御装置に運転制御の設定指令を送信するとともに、送信後の所定時間内の前記エレベータの運転状態を取得するエレベータ通信部と、このエレベータ通信部を介して取得した運転状態が前記エレベータ監視用サーバの指令通りの運転制御による運転状態かどうかを判定する判定部と、前記エレベータ通信部を介して行われた前記エレベータに対する運転制御指令と、取得した運転状態、及び前記判定部で判定された判定結果を記録する記録部と、この記録部に記録された運転制御指令と、取得した運転状態、及び判定結果を前記エレベータ監視用サーバに送信するサーバ通信部とを有することを特徴としている。
【発明の効果】
【００１０】
本発明に係るエレベータの遠隔制御システムによれば、エレベータ監視装置は、エレベータ通信部を介してエレベータ制御装置に設定変更の指令を送信するとともに、送信後の所定の時間内のエレベータの運転状態の取得を行い、取得した運転状態に対する判定を判定部で行い、結果をサーバ通信部を介して所定の端末装置が接続されるエレベータ監視用サーバに送信するので、実際に設定変更されたかどうかを確認する際に、従来懸念されていたタイミングを誤ってまだ設定変更されていない運転状態を取得してしまう事態の発生を防ぐことができる。すなわち本発明は、遠隔的に運転制御を変更可能なエレベータに対する設定変更後、その設定変更が誤りなく行われたかどうかをエレベータ監視用サーバにおいて、また所定の端末装置において容易に確認することができ、従来に比べて情報取得精度を高めることができる。
【００１１】
また本発明は、エレベータ監視装置が結果をエレベータ監視用サーバに送信するので、所定の端末装置を操作する利用者が設定変更されたかどうかを確認する際に、所定の端末装置を介してエレベータ監視用サーバにアクセスすればよく、エレベータ監視用サーバが再びエレベータ制御装置に問い合わせることがなく、この設定変更の所定の端末装置を介しての確認に要する時間を節減させることができる。
【図面の簡単な説明】
【００１２】
【図１】本発明に係るエレベータの遠隔制御システムの一実施形態の全体構成を示す図である。
【図２】本実施形態に備えられるエレベータ監視装置の記録部で記録される運転制御指令と運転状態取得の記録、及び判定部で判定された判定結果の記録の概要を説明する図である。
【図３】エレベータ監視装置からエレベータ監視サーバに送信される記録情報を示す図で、運転制御が指令した設定通りになった場合の運転状態遷移図を含む図である。
【図４】エレベータ監視装置からエレベータ監視サーバに送信される記録情報を示す図で、運転制御が指令した設定通りにならなかった場合の運転状態遷移図を含む図である。
【図５】本実施形態に備えられるエレベータ監視装置における処理手順を示すフローチャートである。
【図６】エレベータ監視装置からエレベータ監視サーバに送信される記録情報を示す図で、運転制御の指令がなされていない場合の図である。
【図７】エレベータ監視装置からエレベータ監視サーバに送信される記録情報を示す図で、運転制御が指令され、所定時間が経過した後の図である。
【発明を実施するための形態】
【００１３】
以下、本発明に係るエレベータの遠隔制御システムの実施の形態を図面に基づいて説明する。
【００１４】
図１は、本発明に係るエレベータの遠隔制御システムの一実施形態の全体構成を示す図である。
【００１５】
この図１に示すように本実施形態に係るエレベータの遠隔制御システムは、図示しないエレベータの運転制御を行うエレベータ制御装置１と、このエレベータ制御装置１に接続され、エレベータの状態を監視するとともに、エレベータ制御装置１に対して運転制御の指令を送信可能なエレベータ監視装置２と、複数の現場に備え付けられたエレベータ監視装置２に指令の送信や運転状態の受信を行うとともに、パソコン、携帯電話、あるいはスマートフォン等の所定の端末装置、すなわち利用者端末６からの指令を受信し、結果を利用者端末６に送信可能なエレベータ監視用サーバ４とを備えている。
【００１６】
エレベータ監視装置２とエレベータ監視用サーバ４とは、監視用通信網３で接続してあり、エレベータ監視用サーバ４と利用者端末６とは、インターネット網５で接続してある。
【００１７】
また、エレベータ監視装置２は、エレベータ制御装置１に対する運転制御の設定や、運転状態の取得等の通信を行うエレベータ通信部２１と、エレベータ監視用サーバ４からの指令を受信したり、結果を送信するサーバ通信部２２と、エレベータ制御装置１へエレベータ監視用サーバ４からの指令を送信した後、所定時間内、例えば５分内のエレベータの運転状態を取得するために設けられた計測カウンタ２３とを備えている。
【００１８】
また、エレベータ監視装置２は、エレベータ通信部２１を介して取得した運転状態がエレベータ監視用サーバ４の指令通りの運転制御による運転状態かどうかを判定する判定部２５と、エレベータ通信部２１を介してエレベータ制御装置１に送信されたエレベータに対する運転制御指令、エレベータ制御装置１から取得した運転状態、及び判定部２５で判定された判定結果を記録する記録部２４と、エレベータ監視用サーバ４からの指令が、エレベータの運転制御の設定であるか、運転状態の取得であるかを判別する指令内容判別部２６を備えている。
【００１９】
パソコン、携帯電話、及びスマートフォン等の利用者端末６は、端末ごとに利用可能なＷＥＢブラウザによってエレベータ監視用サーバ４にアクセスすることにより、エレベータ監視用サーバ４が取得している当該エレベータの情報の閲覧や、当該エレベータの運転制御の設定や運転状態の取得、すなわち読み出しが可能となっている。
【００２０】
図２は、本実施形態に備えられるエレベータ監視装置の記録部で記録される運転制御指令と運転状態取得の記録、及び判定部で判定された判定結果の記録の概要を説明する図である。
【００２１】
この図２において、項番１は、エレベータ監視装置２に対するエレベータ監視用サーバ４からの指令が無い状態を示し、項番２は、エレベータ監視用サーバ４からエレベータ監視装置２へ運転制御の設定の指令が有り、エレベータ監視装置２からエレベータ制御装置１に対して運転制御の設定を指令した状態を示している。また項番３は、項番２から所定時間、すなわち５分経過し、エレベータ監視装置２が、エレベータの運転状態の取得を完了し、エレベータ監視用サーバ４に結果を送信した状態、すなわちエレベータの運転制御の設定が成功した状態を示し、項番４は、エレベータの運転状態が指令した設定通りにならずに所定時間、すなわち５分が経過し、エレベータ監視用サーバ４に結果を送信した状態、すなわちエレベータの運転制御の設定が失敗した状態を示している。
【００２２】
図３は、エレベータ監視装置からエレベータ監視サーバに送信される記録情報を示す図で、運転制御が指令した設定通りになった場合の運転状態遷移図を含む図、図４は、エレベータ監視装置からエレベータ監視サーバに送信される記録情報を示す図で、運転制御が指令した設定通りにならなかった場合の運転状態遷移図を含む図、図５は、本実施形態に備えられるエレベータ監視装置における処理手順を示すフローチャート、図６は、エレベータ監視装置からエレベータ監視サーバに送信される記録情報を示す図で、運転制御の指令がなされていない場合の図、図７は、エレベータ監視装置からエレベータ監視サーバに送信される記録情報を示す図で、運転制御が指令され、所定時間が経過した後の図である。
【００２３】
図５のフローチャートに基づいて、利用者がエレベータに対して運転制御の設定を送信した場合のエレベータ監視装置２の動作について説明する。
【００２４】
ステップＳ１にて、エレベータ監視装置２は、エレベータ監視用サーバ４よりエレベータの運転制御の設定や、運転状態の取得の指令が有るまで待つ。
【００２５】
利用者が、利用者端末６によりエレベータ監視用サーバ４にアクセスし、当該エレベータへの運転制御の設定、例えば運転休止制御の設定を送信すると、エレベータ監視用サーバ４は、当該エレベータ監視装置２のサーバ通信部２２に対して利用者端末６からの指令を送信する。
【００２６】
このとき、サーバ通信部２２は、エレベータ監視用サーバ４からの指令を受信したため、ステップＳ２に進む（ステップＳ１でＹｅｓ）。
【００２７】
ステップＳ２では、指令内容判別部２６により、エレベータ監視用サーバ４からの指令内容を判別する。ここでは、指令内容がエレベータの運転制御の設定であるため、ステップＳ３に進む（ステップＳ２でＹｅｓ）。
【００２８】
またこのとき、指令内容がエレベータの運転制御の設定ではない場合、例えばエレベータの運転状態の取得の場合は、以降の処理は行わず終了となる。
【００２９】
ステップＳ３では、エレベータ通信部２１からエレベータ制御装置１に運転制御の設定を、ここでは運転休止の設定を指令する。
【００３０】
ステップＳ４では、計測カウンタ２３により、エレベータの運転状態を取得する所定時間、すなわち５分の計時を開始する。
【００３１】
ステップＳ５では、エレベータ通信部２１により、エレベータ制御装置１から現在の運転状態を取得し、結果を記録部２４に記録する。
【００３２】
ステップＳ６では、判定部２５において、既にエレベータの運転状態が指令した設定通りになっていることを判定済みであるかどうかを確認する。このとき、まだ指令した設定通りになっていない場合は、ステップＳ７に進む（ステップＳ６でＮｏ）。
【００３３】
ステップＳ７では、判定部２５が、ステップＳ５で取得したエレベータの運転状態が指令した設定通りになっているかどうかを判定する。
【００３４】
ステップＳ８では、ステップＳ７の判定結果が指令した設定通りではないと判断された場合には、ステップＳ１０に進む（ステップＳ８でＮｏ）。
【００３５】
ステップＳ１０では、計測カウンタ２３が所定時間である５分間を経過したかどうか判断する。ここでは、まだ５分間を経過していないため、ステップＳ５に進み（Ｓ１０で
Ｎｏ）、以降は５分間が経過するまで同様な処理が繰り返される。
【００３６】
ここで所定時間である５分内にエレベータの運転状態が指令した設定通りになった場合、すなわちステップＳ８にてＹｅｓとなった場合、ステップＳ９に進む。
【００３７】
ステップＳ９では、エレベータの運転状態が、指令した設定通りである判定結果、または設定とは異なる判定結果を記録部２４に記録し、ステップＳ１０に進む。なお、記録部２４では、設定通りである場合には、例えば図３に示すように記憶され、設定通りでない場合には、例えば図４に示すように記録される。
【００３８】
以降は、ステップＳ９にて判定結果を記録しているため、５分間が経過するまで、ステップＳ６は図中Ｙｅｓを進む。
【００３９】
ステップＳ１０にて、所定時間５分間が経過したと判断されると、ステップＳ１１に進む（ステップＳ１０でＹｅｓ）。
【００４０】
ステップＳ１１では、記録部２４の記録結果、すなわち図３に示す記録、または図４に示す記録をサーバ通信部２２を介してエレベータ監視用サーバ４に送信し、本処理を終了する。
【００４１】
以上のように、利用者が利用者端末６によってエレベータ監視用サーバ４に運転制御の設定を送信することにより、エレベータ監視装置２は、エレベータ制御装置１への運転制御の設定、及び所定時間、すなわち５分内の運転状態の取得を行い、結果をエレベータ監視用サーバ４に送信するので、利用者は、利用端末６を用いてＷＥＢブラウザによりエレベータ監視用サーバ４にアクセスすることによって、当該エレベータの運転状態を閲覧することが可能となる。
【００４２】
すなわち、エレベータ監視装置２からエレベータ監視用サーバに、運転情報及び判定結果が送信された後には、利用者が利用者用端末６を操作してエレベータ監視用サーバ４にアクセスすることにより、エレベータ監視用サーバから該当する記録情報が送信されて利用者端末６に表示される。したがって利用者は、利用者端末６の表示を見ることにより、図３に示す成功か、図４に示す失敗かを確認することができる。
【００４３】
このように利用者は、利用者端末６を用いてエレベータ監視用サーバ４にアクセスすることにより、エレベータの運転制御の設定を行うことができる。また再度、利用者は利用者用端末６を用いて、エレベータ監視用サーバ４にアクセスすることにより、エレベータの制御状態が現在どうなっているのかを、その経過情報も含めて容易に確認することができる。
【００４４】
なお、運転制御の設定がなされていない状態では、図６に示す情報が利用者端末６に表示され、エレベータへの運転制御の設定後には、図７に示す情報、すなわち運転制御指令が実施済みと更新されて表示される。
【００４５】
以上のように、本実施形態によれば、エレベータ監視装置２は、エレベータ通信部２２を介してエレベータ制御装置１に設定変更の指令を送信するとともに、送信後の５分間内のエレベータの運転状態の取得を行い、取得した運転状態に対する判定を判定部２５で行い、結果をサーバ通信部２２を介して利用者端末６が接続されるエレベータ監視用サーバ４に送信するので、実際に設定変更されたかどうかを確認する際に、タイミングを誤ってまだ設定変更されていない運転状態を取得してしまう事態の発生を防ぐことができる。すなわち本実施形態は、遠隔的に運転制御を変更可能なエレベータに対する設定変更後、その設定変更が誤りなく行われたかどうかをエレベータ監視用サーバ４において、また利用者端末６において容易に確認することができ、情報取得精度を高めることができる。
【００４６】
また本実施形態は、エレベータ監視装置２が結果をエレベータ監視用サーバ４に送信するので、利用者端末６を操作する利用者が設定変更されたかどうかを確認する際に、前述したように利用者端末６を介してエレベータ監視用サーバ４にアクセスすればよく、エレベータ監視用サーバ４が再びエレベータ制御装置１に問い合わせることがなく、この設定変更の利用者端末６を介しての確認に要する時間を節減させることができる。
【符号の説明】
【００４７】
１    エレベータ制御装置
２    エレベータ監視装置
３    監視用通信網
４    エレベータ監視用サーバ
５    インターネット網
６    利用端末（所定の端末装置）
２１  エレベータ通信部
２２  サーバ通信部
２３  計測カウンタ
２４  記録部
２５  判定部
２６  指令内容判別部
【図１】
0006308935.tif 000002
【図２】
0006308935.tif 000003
【図３】
0006308935.tif 000004
【図４】
0006308935.tif 000005
【図５】
0006308935.tif 000006
【図６】
0006308935.tif 000007
【図７】
0006308935.tif 000008